(57)【要約】【課題】加熱蒸気を冷却した加湿空気を、指向性を高めて吹き出すことのできる加湿機を提供する。【解決手段】蒸気案内筒３の上部に斜め上方に向け広がるように設けた傾斜壁部８の内側に吹出開口部９を有し回動自在に配設される筒状部１０の上面に中央が上方に膨出した円弧面形状の天板１１を設け形成される蓋部１２を設け、蓋部１２の天板１１の内面に加湿空気を衝突させて冷却する構成としたことによって、冷却した加湿空気を吹き出すことができ、また蓋部１２の回動範囲を本体５正面の左右角度３０度以内として加湿範囲を限定することにより、窓ガラスや壁面への結露発生を抑えることができる。【選択図】  図１
2005016811.tif 000002
【特許請求の範囲】
【請求項１】
加熱ユニットで発生した蒸気を送風手段からの風とともに上方に案内する蒸気案内筒と、この蒸気案内筒の上部に斜め上方に向け広がるように設けられる傾斜壁部と、この傾斜壁部の内側に、吹出開口部を有し、回動自在に配設される筒状部の上面に中央が上方に膨出した円弧面形状の天板を設け形成される蓋部とを備え、前記蓋部の天板の内面に加湿空気を衝突させて冷却する構成とした加湿機。
【請求項２】
蓋部に設けられる吹出開口部とは反対位置に蓋部を回動するつまみを設けた請求項１記載の加湿機。
【請求項３】
蓋部の天板を外周方向に延設して形成したひさし部と、吹出開口部の上部にたれ壁部を形成した請求項１記載の加湿機。
【請求項４】
蓋部に形成されるひさし部の先端部と傾斜壁部との間に加湿口が形成されるように、ひさし部の突出長さより傾斜壁部の突出長さを大とした請求項３記載の加湿機。
【請求項５】
蓋部に設けられる吹出開口部を上下巾の狭い横長形状とし、蓋部の回動可能角度を左右角度３０度以内とした請求項１または３記載の加湿機。
【発明の詳細な説明】
【０００１】
【発明の属する技術分野】
本発明は、ヒーターで加熱され、発生した蒸気を室内に放散して加湿を行う加湿機に関するものである。
【０００２】
【従来の技術】
従来、この種の加湿機として加湿用の吹出口が、蒸気口の位置よりずらして形成したものが知られている（例えば、特許文献１参照）。以下その加湿機について図６を参照しながら説明する。
【０００３】
図に示すように、霧化筒１０１に設けた遮蔽板１０２に設けられる蒸気口１０３に対し蓋体１０４に設けられる吹出口１０５の位置をずらして形成していた。
【０００４】
【特許文献１】
特開平５−１８５６８号公報（［００１５］、図１）
【０００５】
【発明が解決しようとする課題】
しかしながら、上記従来の構成では、霧化筒１０１の蒸気口１０３から上昇した蒸気は、蓋体１０４により案内されながら吹出口１０５に向かうこととなるが蒸気が当接する蓋体１０４は平坦で蒸気を冷却するという機能を持つものではなく、また、送風手段との組み合わせによるものではなく、転倒時における熱水の流出を防止するために、蒸気口１０３と吹出口１０５の位置をずらしているものであって、吹出口１０５より吹き出される蒸気温度をある程度下げることはできるが、さらに温度を下げて安全性を高めたいという課題があり、冷却効果の高い吹出口構造が要求されている。
【０００６】
本発明は、従来の課題を解決するもので、高湿の加湿空気が直接吹き出されないように冷却した加湿空気を吹き出すことのできる加湿機を提供することを目的とする。
【０００７】
【課題を解決するための手段】
上記従来の課題を解決するために、本発明の加湿機は、加熱ユニットで発生した蒸気を送風手段からの風とともに、上方に案内する蒸気案内筒と、この蒸気案内筒の上部に斜め上方に向け広がるように設けられる傾斜壁部と、この傾斜壁部の内側に吹出開口部を有し回動自在に配設される筒状部の上面に中央が上方に膨出した円弧面形状の天板を設け形成される蓋部とを備え、前記蓋部の天板の内面に加湿空気を衝突させて冷却する構成としたものである。
【０００８】
また、蓋部に設けられる吹出開口部とは反対位置に蓋部を回動するつまみを設けたものである。
【０００９】
また、蓋部の天板を外周方向に延設して形成したひさし部と、吹出開口部の上部にたれ壁部を形成したものである。
【００１０】
また、蓋部に形成されるひさし部の先端部と傾斜壁部との間に加湿口が形成されるようにひさし部の突出長さより、傾斜壁部の突出長さを大としたものである。
【００１１】
また、蓋部に設けられる吹出開口部を上下巾の狭い横長形状とし、蓋部の回動可能角度を左右角度３０度以内としたものである。
【００１２】
【発明の実施の形態】
請求項１に記載の発明は、加熱ユニットで発生した蒸気を送風手段からの風とともに上方に案内する蒸気案内筒と、この蒸気案内筒の上部に斜め方向に向け広がるように設けられる傾斜壁部と、この傾斜壁部の内側に吹出開口部を有し回動自在に配設される筒状部の上面に中央が上方に膨出した円弧面形状の天板を設け形成される蓋部とを備え、前記蓋部の天板の内面に加湿空気を衝突させて冷却することにより高温の加湿空気が蓋部の天板の内面に衝突して冷却したのち、天板の円弧面に沿い移動し、冷却された加湿空気が吹き出されることとなり、人体および室内の環境に悪影響をおよぼさないようにすることができる。
【００１３】
請求項２記載の発明は、蓋部に設けられる吹出開口部とは反対位置に蓋部を回動するつまみを設けたことにより、蓋部の回動操作時に加湿空気が目視できず、吹出開口部の位置がわかりづらいけれども、加湿空気に直接手指が触れないように、つまみで安全に操作することができる。
【００１４】
請求項３に記載の発明は、蓋部の天板を外周方向に延設して形成したひさし部と、吹出開口部の上部にたれ壁部を形成したことにより、たれ壁部の下方に設けられた吹出開口部より横方向に吹き出された加湿空気は傾斜壁部とひさし部により斜め上方に向かい吹き出されることとなり、吹出方向の指向性が高められるとともに、ひさし部により加湿空気が冷却され、人体への悪影響をもたらすことを防止することができ、また、本体上面の結露も防止することができる。
【００１５】
請求項４に記載の発明は、蓋部に形成されるひさし部の先端部と傾斜壁部との間に加湿口が形成されるように、ひさし部の突出長さより、傾斜壁部の突出長さを大としたことにより、ひさし部に結露した場合においても、ひさし部の結露水は傾斜壁部により受け止め集められて回収することができ、蓋部やその周囲に水滴が残存するのが防止できる。
【００１６】
請求項５に記載の発明は、蓋部に設けられる吹出開口部を上下巾の狭い横長形状とし、蓋部の回動可能角度を本体正面の左右３０度以内としたことにより、吹出指向性を高めた吹出開口部から加湿空気の吹き出す左右方向が本体正面に対し狭く限定され加湿機を部屋の中央に向けて設置した場合に、部屋の壁面や窓方向に加湿空気が吹出すことがなくなり、壁面や窓ガラスの結露を防止でき、また、吹出方向を狭くしぼって指向性を高めていることにより、加湿気流が比較的遠くへ到達しやすくなるが、加湿空気の吹出し範囲が限定されることにより、結露しにくくなる。
【００１７】
以下、本発明の実施例について、図面を参照しながら説明する。
【００１８】
【実施例】
（実施例１）
図１〜図５に示すように、底部に逆椀状で内部にヒーター１を有した加熱ユニット２を設けた筒状の蒸気案内筒３に、送風手段４から風を導くために本体５に設けた送風筒部６と連通する連通口７を設け、蒸気案内筒３の上部に斜め上方に向け広がる傾斜壁部８を設け、傾斜壁部８の内側に、一部を切欠き吹出開口部９を形成し、回動自在に配設される筒状部１０の上面に中央が上方に膨出した円弧面形状の天板１１を設けて蓋部１２を形成する。
【００１９】
また、蓋部１２の筒状部１０に設けられる吹出開口部９は、上部にたれ壁部１３を残した上下巾の狭い横長形状とし、吹出開口部９の反対位置には蓋部１２を回動するつまみ１４を設け、蓋部１２の回動可能角度を本体５正面の左右３０度以内とするように設ける。なお本体５の正面には操作表示部５ａを設けている。
【００２０】
また、蓋部１２の天板１１を外周方向に延設してひさし部１５を形成し、ひさし部１５の先端部１６と傾斜壁部８との間に加湿口１７が形成されるようにひさし部１５の突出長さより、傾斜壁部８の突出長さを大とした構成とする。
【００２１】
上記構成において、加湿機を運転すると、蒸気案内筒３内に設けた加熱ユニット２で加熱された熱水の蒸気が上昇し、蒸気案内筒３の上部に案内される。
【００２２】
一方、送風手段４により送風筒部６内に送られた空気は蒸気案内筒３の上方部の側方に設けた連通口７より蒸気案内筒３内に送られ蒸気案内筒３の上部に案内されていた蒸気と合流した加湿空気は、蒸気案内筒３の上部より吹き出されて、蒸気案内筒３の上部に設けた蓋部１２の天板１１の内面に衝突し、冷却されながら筒状部１０に設けたたれ壁部１３の下方に形成された吹出開口部９より横方向に吹き出され、傾斜壁部８により斜め上方に案内されながら、傾斜壁部８と蓋部１２に設けたひさし部１５との間に形成された加湿口１７より吹き出されて加湿される。
【００２３】
本実施例では、このときの加湿口１７の吹出温度を常に６０℃以下に維持している。
【００２４】
そして、吹出方向を変換するときには、蓋部１２に設けられたつまみ１４により蓋部１２を、蓋部１２の回動可能角度として設定されている本体５正面の左右３０度以内の範囲で角度調整される。このとき、吹出開口部９の形状を横巾が筒状部１０の内径より小で上下巾も狭い横長形状としていることにより指向性が高まり、図４に示すように加湿空気の吹き出される吹出可能範囲は、蓋部回動可能角度で定めた範囲にほぼ納まるように広がることとなる。なお本実施例では蓋部の回動角度を本体正面の３０度としたが、本体正面以外を起点として左右３０度の回動可能とすることにより、本体の設置方向に限定されずに同様の効果を発揮することができる。
【００２５】
このように本発明の実施例１の加湿機によれば、加熱ユニット２で発生した蒸気を送風手段４からの風とともに上方に案内する蒸気案内筒３と、蒸気案内筒３の上部に斜め上方に向け広がるように設けられる傾斜壁部８と、傾斜壁部８の内側に吹出開口部を有し回動自在に配設される筒状部１０の上面に中央が上方に膨出して円弧面形状の天板１１を設け形成される蓋部１２とを備え、蓋部１２の天板１１の内面に加湿空気を衝突させて冷却する構成としたことにより高温の加湿空気が蓋部１２の天板１１の内面に衝突して冷却されたのち、天板１１の円弧面に沿い移動し、冷却された加湿空気が吹出開口部９に送られ、傾斜壁部８に沿い加湿口１７より吹き出されることとなり、安全性を高めた使い易い加湿機とすることができる。
【００２６】
また、蓋部１２に設けられる吹出開口部９とは反対位置に蓋部１２を回動するつまみ１４を設けたことにより、蓋部１２の回動操作時に加湿空気が目視できず、吹出開口部９の位置がわかりづらいけれども、加湿空気に直接手指が触れないように、つまみ１４で安全に操作することができ、吹出開口部９の吹き出し方向も、つまみ１４の回動位置から判断して容易に知ることができる。
【００２７】
また、蓋部１２の天板１１を外周方向に延設して形成したひさし部１５と、吹出開口部９の上部にたれ壁部１３を形成したことにより、たれ壁部１３の下方に設けられた吹出開口部９より横方向に吹き出された加湿空気は傾斜壁部８とひさし部１５により斜め上方に向かい吹き出されることとなり、吹出方向の指向性が高められるとともに、ひさし部１５のフィン効果により加湿空気をさらに冷却して安全性を保つことができ、本体５上面の結露も防止することができる。
【００２８】
また、蓋部１２に形成されるひさし部１５の先端部１６と傾斜壁部８との間に加湿口１７が形成されるように、ひさし部１５の突出長さより、傾斜壁部８の突出長さを大としたことにより、ひさし部１５に結露した場合においても、ひさし部１５の結露水は傾斜壁部８により受け止め集められて回収することができ、蓋部１２やその周囲に水滴が残存するのが防止できる。
【００２９】
また、蓋部１２に設けられる吹出開口部９を上下巾の狭い横長形状とし、蓋部１２の回動可能角度を本体５正面の左右３０度以内としたことにより、吹出指向性を高めた吹出開口部９から加湿空気の吹き出す左右方向が本体５の正面に対し、狭く限定され、加湿機の吹出方向を部屋の中央に向けて設置した場合に、部屋の壁面や窓方向に加湿空気が吹き出すことがなくなり、壁面や窓ガラスの結露を防止でき、また、吹出方向を狭くしぼって指向性を高めていることにより、加湿気流が比較的遠くへ到達しやすくなるが、加湿空気の吹出範囲が限定されることにより、結露しにくくなる。
【００３０】
【発明の効果】
以上の実施例から明らかなように、本発明によれば加熱ユニットで発生した蒸気を送風手段からの風とともに上方に案内する蒸気案内筒と、この蒸気案内筒の上部に斜め上方に向け広がるように設けられる傾斜壁部と、この傾斜壁部の内側に、吹出開口部を有し回動自在に配設される筒状部の上面に中央が上方に膨出した円弧面形状の天板を設け形成される蓋部とを備え、前記蓋部の天板の内面に加湿空気を衝突させて冷却する構成としたので、高温の加湿空気が直接吹き出すことがなくなり、人体に損傷を与える等の障害をなくすことができる加湿機を提供することができる。
【００３１】
また、蓋部に設けられる吹出開口部とは反対位置に蓋部を回動するつまみを設けたので、つまみを安全に操作することができる。
【００３２】
また、蓋部の天板を外周方向に延設して形成したひさし部と、吹出開口部の上部にたれ壁部を形成したので、吹出指向性を高めることができ、またひさし部の冷却効果および本体上面の結露を防止できる。
【００３３】
また、蓋部に形成されるひさし部の先端部と傾斜壁部との間に加湿口が形成されるように、ひさし部の突出長さより、傾斜壁部の突出長さを大としたので、ひさし部に結露した場合でも、結露水を回収することができ、蓋部やその周囲に水滴が残らないようにできる。
【００３４】
また、蓋部に設けられる吹出開口部を上下巾の狭い横長形状とし、蓋部の回動可能角度を本体正面の左右３０度以内としたので、部屋の壁面や窓ガラス等に結露するのを防止することができる。
【図面の簡単な説明】
【図１】本発明の実施例１の加湿機の蓋部の状態を示す要部側断面図
【図２】同加湿機の蓋部の状態を示す要部正断面図
【図３】同加湿機の蒸気案内筒と送風手段を示す側断面図
【図４】同加湿機の蓋部の回動角度と吹出範囲を示す平面図
【図５】同加湿機の外観斜視図
【図６】従来の加湿機の断面図
【符号の説明】
２  加熱ユニット
３  蒸気案内筒
４  送風手段
８  傾斜壁部
９  吹出開口部
１０  筒状部
１１  天板
１２  蓋部
１３  たれ壁部
１４  つまみ
１５  ひさし部
１６  先端部
１７  加湿口
【図１】
2005016811.tif 000003
【図２】
2005016811.tif 000004
【図３】
2005016811.tif 000005
【図４】
2005016811.tif 000006
【図５】
2005016811.tif 000007
【図６】
2005016811.tif 000008